【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
マスフィルターと、前記マスフィルターの下流に配置された質量分析器とを含む質量分析計であって、
前記マスフィルターが、１またはそれ以上の電極と、１またはそれ以上のイオンミラーとを含むマスフィルターであり、
前記電極が、使用時に、前記１またはそれ以上の電極から遠ざかって、少なくとも幾つかのイオンを直角に加速するため、１またはそれ以上の第１の電圧パルスが、前記１またはそれ以上の電極に印加される電極であり、かつ
前記イオンミラーが、前記マスフィルターの第１または出口領域に向かって、前記イオンが通常移動するように、直角に加速された少なくとも幾つかのイオンを反射するためのイオンミラーであり、
所望の質量もしくは質量電荷比を有する第１のイオンまたは、第１の所望な範囲以内の質量もしくは質量電荷比を有する第１のイオンが、前記マスフィルターの前記第１または出口領域に接近するにつれて、前記第１のイオンが、使用時に、１またはそれ以上の電場によって、直角に減速されるか、またはさもなければ直角に遅延される質量分析計。
【請求項２】
請求項１に記載の質量分析計であり、イオンが、実質的に軸方向に前記マスフィルターへ入るように配置され、前記軸方向が、直角方向に対して実質的に直交する質量分析計。
【請求項３】
請求項１に記載の質量分析計であって、前記１またはそれ以上の第１の電圧パルスが、方形波または直線状、傾斜状、階段状、非直線状、正弦波状もしくは曲線状の波形を含む質量分析計。
【請求項４】
請求項１に記載の質量分析計であって、使用時に、前記マスフィルターに入るイオンが、直角方向において実質的にゼロの速度成分を有する質量分析計。
【請求項５】
請求項１に記載の質量分析計であって、直角方向において実質的にゼロの速度成分で、前記マスフィルターを出るように、前記電場の１またはそれ以上により、使用時に、前記第１のイオンの少なくとも幾つかが、直角に減速されるか、またはさもなければ、直角に遅延される質量分析計。
【請求項６】
請求項１に記載の質量分析計であって、前記電場の１またはそれ以上により、使用時に、前記第１のイオンの少なくとも幾つかが、直角に減速されるか、またはさもなければ、直角に遅延されるが、しかし、軸方向において実質的に非ゼロの速度成分で、前記マスフィルターを維持し、かつ出る質量分析計。
【請求項７】
請求項１に記載の質量分析計であって、前記第１のイオン以外の少なくとも幾つかのイオンが、直角方向において実質的に非ゼロの速度成分で持続するように、前記イオンが、１またはそれ以上の電場により、使用時に、ほんの部分的に直角に減速されるか、またはさもなければ、ほんの部分的に直角に遅延される質量分析計。
【請求項８】
請求項１に記載の質量分析計であって、１またはそれ以上の電場により、使用時に、前記第１のイオン以外の少なくとも幾つかのイオンが、ほんの部分的に直角に減速されるか、またはさもなければ、ほんの部分的に直角に遅延されるが、しかし、軸方向において実質的に非ゼロの速度成分を維持する質量分析計。
【請求項９】
請求項１に記載の質量分析計であって、使用時に、前記第１のイオン以外の少なくとも幾つかのイオンが、直角方向において実質的に非ゼロの速度成分を持続するため、前記イオンが、実質的に直角に減速されないか、またはさもなければ、直角に遅延されない質量分析計。
【請求項１０】
請求項１に記載の質量分析計であって、使用時に、前記第１のイオン以外のイオンが、前記マスフィルター内で実質的に減衰または消滅する質量分析計。
【請求項１１】
請求項１に記載の質量分析計であって、前記マスフィルターが、前記１またはそれ以上の電極と、前記１またはそれ以上のイオンミラーとの間に配置された飛行空間の１またはそれ以上を含む質量分析計。
【請求項１２】
請求項１１に記載の質量分析計であって、
イオンが、前記１またはそれ以上の電極から、前記１またはそれ以上のイオンミラーに向かって移動するにつれて、使用時に、１またはそれ以上の電位勾配が、少なくとも一部の前記飛行空間にわたって維持され、
前記１またはそれ以上の電位勾配が、前記１またはそれ以上のイオンミラーに向かって少なくとも幾つかのイオンを更に加速させるように作用し、
イオンが、前記１またはそれ以上のイオンミラーから、前記１またはそれ以上の電極に向かって移動するにつれて、使用時に、１またはそれ以上の電位勾配が、少なくとも一部の前記飛行空間にわたって維持され、
それらイオンが前記１またはそれ以上の電極に接近するにつれて、前記１またはそれ以上の電位勾配が、少なくとも幾つかの前記イオンを減速させるように作用する質量分析計。
【請求項１３】
請求項１１に記載の質量分析計であって、使用時に、少なくとも一部の前記飛行空間が、１またはそれ以上のフィールドフリー領域を含み、
前記１またはそれ以上のフィールドフリー領域中のイオンが、前記１またはそれ以上のフィールドフリー領域中、前記１またはそれ以上のイオンミラーに向かって移動するにつれて、前記１またはそれ以上のフィールドフリー領域中の前記イオンが、加速も減速もされず、
使用時に、少なくとも一部の前記飛行空間が、１またはそれ以上のフィールドフリー領域を含み、
前記１またはそれ以上のフィールドフリー領域中のイオンが、前記１またはそれ以上のフィールドフリー領域中、前記１またはそれ以上のイオンミラーから、前記１またはそれ以上の電極に向かって移動するにつれて、前記１またはそれ以上のフィールドフリー領域中の前記イオンが、加速も減速もされない質量分析計。
【請求項１４】
請求項１に記載の質量分析計であって、前記１またはそれ以上のイオンミラーが、１またはそれ以上のリフレクトロンを含む質量分析計。
【請求項１５】
請求項１に記載の質量分析計であって、使用時に、範囲以内に質量または質量電荷比を有する少なくとも幾つかのイオンが、前記マスフィルターに入ると実質的に直ちに、直角に加速され、
使用時に、少なくとも幾つかのこれらのイオンが、前記マスフィルターの前記入口領域の一部を形成するプレートまたは電極と衝突するように配置される質量分析計。
【請求項１６】
請求項１に記載の質量分析計であって、前記質量分析器が、（ｉ）直交加速飛行時間質量分析器；（ｉｉ）軸方向加速飛行時間質量分析器；（ｉｉｉ）四重極質量分析器；（ｉｖ）ペニング質量分析器；（ｖ）フーリエ変換イオンサイクロトロン共鳴（「ＦＴＩＣＲ」）質量分析器；（ｖｉ）２Ｄまたは直線状の四重極イオントラップ；（ｖｉｉ）ポールまたは３Ｄの四重極イオントラップ；および（ｖｉｉｉ）扇形磁場質量分析器からなる群から選択される質量分析計。
【請求項１７】
イオンをマスフィルタリングする工程を含むマススペクトロメトリー方法であって、
前記マスフィルタリングする工程が、
１またはそれ以上の電極を含むマスフィルターを準備し、
前記１またはそれ以上の電極から遠ざかって、少なくとも幾つかのイオンを直角に加速するため、１またはそれ以上の第１の電圧パルスを前記１またはそれ以上の電極に対して印加し、
前記イオンが、前記マスフィルターの第１または出口領域に向かって通常移動するように、直角に加速された少なくとも幾つかのイオンを反射させ、かつ
所望の質量もしくは質量電荷比を有する第１のイオンまたは、第１の所望な範囲以内の質量もしくは質量電荷比を有する第１のイオンが、前記マスフィルターの前記第１または出口領域に接近するにつれて、前記第１のイオンを、１またはそれ以上の電場を用いて、直角に減速させるか、またはさもなければ、直角に遅延させることを含む工程であり、
前記方法が、前記マスフィルターの下流に配置された質量分析器を準備する工程をさらに含む方法。
【請求項１８】
装置であって、
操作の第１モードにおいて、前記装置が、マスフィルターとして作用し、
前記マスフィルターが、所望な質量電荷比を有するイオンが、直角方向において非ゼロの速度成分を有するように、直角に加速され、かつ、前記直角方向において実質的にゼロの速度成分を有するように、その後、直角に減速されるマスフィルターであり、
操作の第２モードにおいて、前記装置が、操作の非マスフィルタリングモードにおいて作動し、
前記操作の第２モードにおいて、前記装置が、前記装置への入口で受け止めたイオンの少なくとも５０％、５５％、６０％、６５％、７０％、７５％、８０％、８５％、９０％、９５％、９９％または実質的に１００％を、前記装置の出口に、伝達する装置。
【請求項１９】
操作の第１モードにおいて、マスフィルターとして作用させるため、装置を作動させることを含む方法であって、
前記操作の第１モードにおいて、前記方法は、
所望な質量電荷比を有するイオンが、直角方向において非ゼロの速度成分を有するように、前記イオンを直角に加速すること、およびその後、
それらイオンが、前記直角方向において実質的にゼロの速度成分を有するように、前記イオンを直角に減速することを含み、
イオンがマスフィルターされていない操作の第２モードにおいて、前記装置を操作することを更に含み、
前記装置が前記操作の第２モードであるとき、前記方法が、
前記装置の入口で受け止められたイオンの少なくとも５０％、５５％、６０％、６５％、７０％、７５％、８０％、８５％、９０％、９５％、９９％または実質的に１００％を、前記装置の出口に、伝達することを更に含む方法。
【請求項２０】
請求項１９に記載の方法であって、前記操作の第１モードにおいて、前記方法が、
所望でない質量電荷比を有するイオンが、前記直角方向において非ゼロの速度成分を有するように、前記イオンを直角に加速すること、およびその後、
それらイオンが持続して前記直角方向において非ゼロの速度成分を有するように、前記イオンをほんの部分的に直角に減速すること
を更に含む方法。